(57)【要約】【目的】ハードディスクに記憶されたアルバムの内、音楽情報がないアルバムのみスキャン再生制御を行い、ユーザの所望するアルバムが、音楽情報がないアルバムである場合でも短時間で検索して再生できる「オーディオ再生方法及びオーディオ装置」を提供することである。【構成】ユーザがNo Dataスキャンキー２を押下すると、制御装置４はハードディスク５から音楽情報がないアルバム（「No Title 01」、「No Title 02」、・・・というアルバム）の音楽データを所定時間分（例えば１０秒分）読み出し、スキャン再生制御する。スキャン再生中にユーザが所望するアルバムが存在した場合、ユーザは再生キー３を押下する。これにより、制御装置４はスキャン再生制御を停止し、以後、ハードディスク５から現在スキャン再生していたアルバムの音楽データを継続して読み出し、該音楽データを再生する。【選択図】図１
2007234154.tif 000002
【特許請求の範囲】
【請求項１】
複数のアルバムの音楽データと、該アルバムの音楽情報とを記憶し、記憶されたアルバムの音楽データを読み出して再生するオーディオ再生方法において、
前記記憶されたアルバムの内、音楽情報がないアルバムのスキャン再生制御を指示し、
前記指示に基づいて、該音楽情報がないアルバムの音楽データを所定時間分読み出してスキャン再生制御する、
ことを特徴とするオーディオ再生方法。
【請求項２】
前記スキャン再生制御中にスキャン再生制御停止が指示された場合、前記スキャン再生制御を停止し、現在スキャン再生中のアルバムの音楽データを継続して再生する、
ことを特徴とする請求項１記載のオーディオ再生方法。
【請求項３】
前記スキャン再生制御に際して、前記音楽情報がないアルバムのリストを表示し、
前記スキャン再生制御と並行して音楽情報を付加すべき１以上のアルバムを特定し、
前記スキャン再生制御終了後またはスキャン再生制御停止が指示された時、前記特定されているアルバムに別途入力される音楽情報を付加する
ことを特徴とする請求項１または請求項２記載のオーディオ再生方法。
【請求項４】
前記音楽情報はアーティスト情報またはジャンル情報である、
ことを特徴とする請求項３記載のオーディオ再生方法。
【請求項５】
前記音楽情報は前記スキャン再生制御指示前に入力する、
ことを特徴とする請求項３記載のオーディオ再生方法。
【請求項６】
複数のアルバムの音楽データと、該アルバムの音楽情報とを記憶部に記憶し、前記記憶部に記憶されたアルバムの音楽データを読み出して再生するオーディオ装置において、
前記記憶部に記憶されたアルバムの内、音楽情報がないアルバムのスキャン再生制御を指示する操作部と、
前記指示に基づいて、前記記憶部から音楽情報がないアルバムの音楽データを所定時間分読み出してスキャン再生制御する制御装置とを、
備えることを特徴とするオーディオ装置。
【請求項７】
スキャン再生制御停止指示部を更に備え、
前記スキャン再生制御中に該スキャン再生制御停止指示部よりスキャン再生制御停止が指示された場合、前記制御装置は前記スキャン再生制御を停止し、現在スキャン再生制御中のアルバムの音楽データを継続して再生する、
ことを特徴とする請求項６記載のオーディオ装置。
【請求項８】
前記スキャン再生制御に際して、前記音楽情報がないアルバムのリストを表示する表示装置と、
前記スキャン再生制御と並行して音楽情報を付加すべき１以上のアルバムを特定するアルバム特定部と、
音楽情報を入力する音楽情報入力部とを更に備え、
前記制御装置は前記スキャン再生制御終了後または前記スキャン再生制御停止指示部よりスキャン再生制御停止が指示された時、前記アルバム特定部で特定されたアルバムの音楽情報に前記音楽情報入力部より入力された音楽情報を付加する、
ことを特徴とする請求項６または請求項７記載のオーディオ装置。
【請求項９】
前記音楽情報入力部で入力する音楽情報はアーティスト情報またはジャンル情報である、
ことを特徴とする請求項８記載のオーディオ装置。
【発明の詳細な説明】
【技術分野】
【０００１】
本発明は、オーディオ再生方法及びオーディオ装置に係わり、特に複数のアルバムの音楽データと、該アルバムの音楽情報とを記憶し、記憶されたアルバムの音楽データを読み出して再生するオーディオ再生方法及びオーディオ装置に関する。
【背景技術】
【０００２】
近年、音楽ＣＤ（Compact Disc）からオーディオ信号を読み出して圧縮し、該圧縮音楽データをハードディスクに記憶（リッピング）して再生するオーディオ装置が普及し始めている。このオーディオ装置では、通常、音楽ＣＤが挿入されるとリードインエリアに記憶されているＴＯＣ（Table of Contents）情報を読み出し、該ＴＯＣ情報に基づいて音楽情報データベース（ＣＤＤＢ）にアクセスして音楽ＣＤのアルバム名、アーティスト名、ジャンル名及び曲名等の情報（以下、音楽情報という）を取得する。そして、これらの音楽情報を圧縮音楽データに付加してハードディスクに記憶する。音楽情報データベースから音楽情報を取得することができない場合、オーディオ装置はアルバム名を「No Title 01」、アーティスト名を「No Artist 01」、ジャンル名を「No Genre 01」、曲名を「No Track 01」、「No Track 02」、・・・というように自動的に付与しハードディスクに記憶している。なお、ハードディスクに既に「No Title 01」というアルバム名が記憶されている場合には末尾の数字を自動的に変更してアルバム名が重複しないようにしている。アーティスト名、ジャンル名も同様の処理を行っている。このように、音楽ＣＤ毎に音楽情報を付加することにより、音楽を効率よく管理できる。
【０００３】
しかしながら、上記オーディオ装置では数百から数千曲分の音楽データをハードディスクに記憶しておくことができるため、ユーザが所望する音楽を効率よく検索して再生することが要求される。
所望する音楽を検索するための第１の従来技術として、ハードディスクに記憶されているアルバムのリストを表示する表示装置を備え、このリストから所望のアルバムを選択することにより、このアルバムの音楽データを読み出して再生するオーディオ装置がある。
第２の従来技術として、スキャン再生キーを備え、ユーザがスキャン再生キーを押下すると、ハードディスクに記憶されているアルバムがスキャン再生制御され、現在スキャン再生中のアルバムがユーザの所望するアルバムであるときは、スキャン再生制御を停止して、現在スキャン再生中のアルバムを継続して再生する音響装置がある（特許文献１参照）。
第３の従来技術として、ユーザにより指定されたキーワード、例えばアーティスト名で複数のアルバムを検索し、検索された複数のアルバムのハイライト部分をスキャン再生するオーディオ装置がある（特許文献２参照）。
第４の従来技術として、スキャン再生キーを備え、ユーザがアルバム再生中にスキャン再生キーを押下すると、ハードディスクに記憶されたアルバムの内、現在再生しているアルバムのアーティストのアルバムをスキャン再生するオーディオ装置がある。
【特許文献１】特開２００１−１０１７６９号公報
【特許文献２】特開２００３−５０８１６号公報
【発明の開示】
【発明が解決しようとする課題】
【０００４】
しかしながら、第１の従来技術ではユーザの所望するアルバムが、音楽情報がないアルバム（音楽情報データベースから音楽情報を取得できなかったアルバム）である場合、一度再生してアルバムを確認する必要があり、所望するアルバムを再生するのに手間がかかっていた。また、このオーディオ装置はユーザ自身で音楽情報を設定することが可能であるが、アルバム名等の音楽情報をそれぞれユーザ自身で入力する作業は煩雑であった。
第２の従来技術では、スキャン再生キーを押下すると、音楽情報の有無に係わらずハードディスクに記憶された全てのアルバムをスキャン再生制御していたため、所望のアルバムを再生するのに時間がかかっていた。
第３の従来技術では、所望のアルバムをキーワードで特定することにより、所望のアルバムを再生する時間を短縮することはできるが、音楽情報がないアルバムはキーワードの対象とすることができず所望のアルバムを再生することができないことがあった。
第４の従来技術では、現在再生しているアルバムの音楽情報を用いることにより、所望のアルバムを再生する時間を短縮することができるが、現在再生しているアルバムが音楽情報のないアルバムである場合にはスキャン再生制御を行えず所望のアルバムを短時間で再生することができなかった。
【０００５】
従って、本発明の第１の目的は、ハードディスクに記憶されたアルバムの内、音楽情報がないアルバムのみスキャン再生制御を行い、ユーザの所望するアルバムが、音楽情報がないアルバムである場合でも短時間で検索して再生できるオーディオ再生方法及びオーディオ装置を提供することである。
本発明の第２の目的は、音楽情報がないアルバムの音楽情報を容易に編集することができるオーディオ再生方法及びオーディオ装置を提供することである。
【課題を解決するための手段】
【０００６】
本発明は、複数のアルバムの音楽データと、該アルバムの音楽情報とを記憶し、記憶されたアルバムの音楽データを読み出して再生するオーディオ再生方法であり、前記記憶されたアルバムの内、音楽情報がないアルバムのスキャン再生制御を指示するステップと、前記指示に基づいて、該音楽情報がないアルバムの音楽データを所定時間分読み出してスキャン再生制御するステップとを有している。
【０００７】
上記本発明のオーディオ再生方法は、前記スキャン再生制御中にスキャン再生制御停止が指示された場合、前記スキャン再生制御を停止し、現在スキャン再生中のアルバムの音楽データを継続して再生するステップを有している。
【０００８】
上記本発明のオーディオ再生方法は更に、前記スキャン再生制御に際して、前記音楽情報がないアルバムのリストを表示するステップと、前記スキャン再生制御と並行して音楽情報を付加すべき１以上のアルバムを特定するステップと、前記スキャン再生制御終了後またはスキャン再生制御停止が指示された時、前記特定されているアルバムに別途入力される音楽情報を付加するステップとを有している。前記音楽情報はアーティスト情報またはジャンル情報である。前記音楽情報は前記スキャン再生制御指示前に入力する。
【０００９】
本発明は、複数のアルバムの音楽データと、該アルバムの音楽情報とを記憶部に記憶し、前記記憶部に記憶されたアルバムの音楽データを読み出して再生するオーディオ装置であり、前記記憶部に記憶されたアルバムのうち、音楽情報がないアルバムのスキャン再生制御を指示する操作部と、前記指示に基づいて、前記記憶部から音楽情報がないアルバムの音楽データを所定時間分読み出してスキャン再生制御する制御装置とを備えている。
【００１０】
上記本発明のオーディオ装置は、スキャン再生制御停止指示部を更に備え、前記スキャン再生制御中に該スキャン再生制御停止指示部よりスキャン再生制御停止が指示された場合、前記制御装置は前記スキャン再生制御を停止し、現在スキャン再生中のアルバムの音楽データを継続して再生する。
【００１１】
上記本発明のオーディオ装置は、前記スキャン再生制御に際して、前記音楽情報がないアルバムのリストを表示する表示装置と、前記スキャン再生制御と並行して音楽情報を付加すべき１以上のアルバムを特定するアルバム特定部と、音楽情報を入力する音楽情報入力部とを更に備え、前記制御装置は前記スキャン再生制御終了後または前記スキャン再生制御停止指示部よりスキャン再生制御停止が指示された時、前記アルバム特定部で特定されたアルバムに前記音楽情報入力部より入力された音楽情報を付加する。前記音楽情報入力部で入力する音楽情報はアーティスト情報またはジャンル情報である。
【発明の効果】
【００１２】
本発明によれば、記憶部に記憶されたアルバムの内、音楽情報がないアルバムのみをスキャン再生制御するように構成したため、ユーザの所望するアルバムが、音楽情報がないアルバムである場合でも短時間で検索することができる。
【００１３】
本発明によれば、前記スキャン再生中にスキャン再生制御停止が指示された場合、前記スキャン再生制御を停止し、現在スキャン再生中のアルバムの音楽データを継続して再生するように構成したため、ユーザの所望するアルバムが、音楽情報がないアルバムである場合でも短時間で再生することができる。
【００１４】
本発明によれば、スキャン再生制御に際して、音楽情報がないアルバムのリストを表示し、前記スキャン再生制御と並行して音楽情報を付加すべき１以上のアルバムを特定し、前記スキャン再生制御終了後またはスキャン再生制御停止が指示された時、前記特定されているアルバムに別途入力される音楽情報（アーティスト名またはジャンル名）を付加するように構成したため、音楽情報がないアルバムの音楽情報を容易に編集することができる。
【発明を実施するための最良の形態】
【００１５】
（Ａ）本発明に係る概略
図１は本発明に係る概略図である。なお、ハードディスク５には複数のＣＤまたはＤＶＤ等に記憶されているアルバムがリッピングされ、アルバムによって音楽データと音楽情報とが共に記憶されたり、音楽データのみ記憶されたりする。
ユーザは操作部１のNo Dataスキャンキー２を押下すると、制御装置４はハードディスク５から音楽情報がない各アルバム（「No Title 01」、「No Title 02」、「No Title 03」、・・・というアルバム名のアルバム）の１曲目の音楽データを所定時間分（例えば１０秒分）読み出し、スキャン再生制御するようにオーディオ回路６に指示する。これによりオーディオ回路６は該音楽データをスキャン再生制御し、スピーカ７より再生音を出力する。スキャン再生中にユーザが所望するアルバムが存在した場合、ユーザは操作部１の再生キー３を押下する。これにより、制御装置４はスキャン再生制御を停止し、以後、ハードディスク５から現在スキャン再生していたアルバムの音楽データを継続して読み出し、該音楽データを再生するようにオーディオ回路６に指示する。オーディオ回路６はこの指示に基づき該音楽データを再生し、スピーカ７より再生音を出力する。
これにより、ユーザの所望するアルバムが、音楽情報がないアルバムである場合でも短時間で検索して再生することができる。
【００１６】
（Ｂ）オーディオ装置の構成
図２は本発明に係るオーディオ装置の構成図である。
ＣＤ再生するには、ＣＤドライブ１１はＣＤを線速度一定でスピンドル回転制御するとともに、フォーカス／トラッキングサーボ制御し、ＣＤ読込装置１２は光ピックアップで読み込んだ信号をＥＦＭ処理、ＡＧＣ処理後、デジタル信号処理してＴＯＣ情報と音楽データを発生する。音楽再生装置１３は音楽データを用いてＤＡ変換処理等の制御を行ってスピーカ１４より再生音を出力する。
【００１７】
ＣＤ読込装置１２はＣＤから読み取った音楽データをハードディスク１５に記憶（リッピング）するためには、ＴＯＣ情報を音楽情報検索装置１６に入力し、音楽データを音楽データ符号化装置１７に入力する。音楽情報データベース（ＣＤＤＢ）１８はアルバムの音楽情報（アルバム名、アーティスト名、ジャンル名、曲名）がＣＤ毎に予め記憶されている。音楽情報検索装置１６はＴＯＣ情報で特定されるＣＤの音楽情報を音楽情報データベース１８から取得して音楽データ符号化装置１７に入力する。音楽情報データベース１８から音楽情報を取得することができない場合、音楽情報検索装置１６はアルバム名を「No Title 01」、アーティスト名を「No Artist 01」、ジャンル名を「No Genre 01」、曲名を「No Track 01」、「No Track 02」、・・・というように自動的に付与し、音楽データ符号化装置１７に入力する。音楽データ符号化装置１７はアルバムの音楽データを符号化するとともに音楽情報データベース１８から読み出された該アルバムの音楽情報を該符号化音楽データに付加して制御装置１９に入力する。制御装置１９は入力された音楽情報付き音楽データを符号２０で示すようにハードディスク１５に記憶する。
【００１８】
ハードディスク１５に記憶された音楽データを再生するには再生キー２２を押下し、制御装置１９にハードディスク再生を要求する。この要求により、制御装置１９はハードディスク１５に記録されているアルバムの音楽データを順に読み出して音楽データ復号装置２５に入力する。音楽データ復号装置２５は符号化音楽データを復号して音楽再生装置１３に入力し、スピーカ１４より再生音を出力する。更に、制御装置１９はハードディスク１５に記録されているアルバムの音楽情報を読み出して表示装置２６に入力し、表示装置２６は該アルバムの音楽情報を表示する。以上はハードディスク１５に記憶されているアルバムを順番に再生する制御であるが、所定のアルバムを選択して再生することもできる。
【００１９】
音楽情報がないアルバムをスキャン再生制御するにはNo Dataスキャンキー２３を押下し、制御装置１９に音楽情報がないアルバムのスキャン再生制御を要求する。この要求により、制御装置１９はハードディスク１５から音楽情報がない各アルバム（「No Title 01」、「No Title 02」、「No Title 03」、・・・というアルバム名のアルバム）の１曲目の音楽データを所定時間分（例えば１０秒分）読み出して音楽データ復号装置２５に入力し、音楽データ復号装置２５は符号化音楽データを復号して音楽再生装置１３に入力する。そして、制御装置１９は音楽再生装置１３に該音楽データをスキャン再生制御するように指示する。音楽再生装置１３はこの指示により該音楽データをスキャン再生制御し、スピーカ１４より再生音を出力する。
スキャン再生中に再生キー２２を押下すると、制御装置１９はスキャン再生制御を停止し、以後、ハードディスク１５から現在スキャン再生していたアルバムの音楽データを継続して読み出し、該音楽データを音楽データ復号装置２５を介して音楽再生装置１３に入力する。これにより、音楽再生装置１３は該音楽データを再生し、スピーカ１４より再生音を出力する。
【００２０】
音楽情報がないアルバムの音楽情報を編集するにはNo Data編集キー２４を押下し、制御装置１９に該アルバムの音楽情報編集を要求する。この要求により、制御装置は音楽情報編集画面を生成し、表示装置２６に入力して該画面を表示する。また、表示装置２６はタッチパネルを備え、編集内容入力等の編集操作はタッチパネルで行なわれ、制御装置１９はタッチパネルの操作に応じた音楽情報編集画面を生成し、表示装置２６に該画面を表示する。更に、タッチパネルでスキャン再生制御が要求された場合は、制御装置１９は後述する処理によってスキャン再生制御を行う。
【００２１】
（Ｃ）本発明に係るスキャン再生制御処理
図３は本発明に係るスキャン再生制御処理のフローチャートである。
ユーザはNo Dataスキャンキー２３を押下し（ステップＳ１）、制御装置１９に音楽情報がないアルバムのスキャン再生制御を要求する。この要求により、制御装置１９はハードディスク１５から音楽情報がない各アルバム（「No Title 01」、「No Title 02」、「No Title 03」、・・・というアルバム名のアルバム）の１曲目の音楽データを所定時間分（例えばイントロ１０秒分）読み出して音楽データ復号装置２５を介して音楽再生装置１３に入力する。音楽再生装置１３は該音楽データを再生し、スピーカ１４より再生音を出力する（ステップＳ２）。そして、ユーザは現在スキャン再生されているアルバムが所望するアルバムであるか判定する（ステップＳ３）。ステップＳ３において、ユーザが所望するアルバムであれば、ユーザは再生キー２２を押下する（ステップＳ４）。制御装置１９はスキャン再生制御を停止し、以後、ハードディスク１５から現在スキャン再生されていたアルバムの音楽データを継続して読み出し、音楽データ復号装置２５を介して音楽再生装置１３に入力する。これにより、音楽再生装置１３は該音楽データを再生し、スピーカ１４より再生音を出力する（ステップＳ５）。一方、ステップＳ３において、ユーザが所望するアルバムでなければ、制御装置１９は現在スキャン再生しているアルバムが最後の音楽情報がないアルバムであるか判定する（ステップＳ６）。ステップＳ６において、現在スキャン再生しているアルバムが最後の音楽情報がないアルバムであれば、制御装置１９はスキャン再生制御を停止し、処理を終了する。ステップＳ６において、現在スキャン再生しているアルバムが最後の音楽情報がないアルバムでなければ、ステップＳ２において制御装置１９は次の音楽情報がないアルバムをスキャン再生制御する。
【００２２】
以上により、ハードディスク１５に記憶されたアルバムの内、音楽情報がないアルバムのみをスキャン再生制御するため、ユーザの所望するアルバムが、音楽情報がないアルバムである場合でも短時間で検索することができる。更に、上記スキャン再生中にスキャン再生制御停止が指示された場合、前記スキャン再生制御を停止し、現在スキャン再生中のアルバムの音楽データを継続して再生するため、ユーザの所望するアルバムが、音楽情報がないアルバムである場合でも短時間で再生することができる。
【００２３】
（Ｄ）本発明に係る音楽情報編集処理
図４は本発明に係る音楽情報編集処理のフローチャートであり、図５は音楽情報編集処理の際に表示装置に表示される画面を示した図である。なお、表示装置はタッチパネルを備え、編集操作等をタッチパネルで行うことができる。
ユーザはNo Data編集キー２４を押下する（ステップＳ１１）。これにより制御装置１９は図５（Ａ）に示すような画面を生成し、表示装置２６に入力して該画面を表示する。次にユーザは該画面に基づき、編集すべき音楽情報の項目（アーティスト名またはジャンル名）を選択する（ステップＳ１２）。なお、選択する際には表示装置２６に表示されるアーティスト３１またはジャンル３２をタッチパネルで選択する。本実施例では「アーティスト」を選択する。編集項目の選択が終了すると制御装置１９は図５（Ｂ）に示すような画面を生成し、表示装置２６に入力して該画面を表示する。そして、ユーザは該画面に基づき、編集内容を文字キー３３で入力する（例えばアーティスト名をＡＡＡと入力する）（ステップＳ１３）。
【００２４】
文字キー３３により編集内容の入力が完了すると、制御装置１９はハードディスク１５からアーティスト情報がないアルバムを全て抽出し、図５（Ｃ）に示すようなアルバムリスト画面を生成し、表示装置２６に入力して該画面を表示する。アーティスト情報がないアルバムとは音楽情報検索装置１６によりアーティスト名が「No Artist 01」、「No Artist 02」、・・・というように自動付与されたアルバムのことを示している。なお、アーティスト情報がないアルバムが５つ以上ある場合、「No Artist 05」以降はスクロールバー３４を操作することにより、あるいはスキャン再生終了後に自動的にスクロールすることにより表示装置２６に表示できる。係る画面において、ユーザはNo Artist Scanキー３５を押下する（ステップＳ１４）。これにより、制御装置１９はハードディスク１５からアーティスト情報がないアルバムの１曲目の音楽データを所定時間分（例えばイントロ１０秒分）読み出して音楽データ復号装置２５を介して音楽再生装置１３に入力する（ステップＳ１５）。また、制御装置１９は図５（Ｄ）に示すような画面を生成し、表示装置２６に入力して該画面を表示する。そして、ユーザは現在スキャン再生されているアルバムが編集内容（ＡＡＡ）を付加すべきアルバムであるか、換言すればアーティストＡＡＡのアルバムであるか判定する（ステップＳ１６）。ステップＳ１６において、現在スキャン再生されているアルバムが編集内容（ＡＡＡ）を付加すべきアルバムでなければ、後述するステップＳ１９を行う。一方、ステップＳ１６において、現在スキャン再生されているアルバムが編集内容（ＡＡＡ）を付加すべきアルバムであれば、ユーザはCheckキー３６を押下する（ステップＳ１７）。これにより、現在スキャン再生されているアルバムのチェックボックス３７がチェックされる。本実施例では「No Artist 01」及び「No Artist 03」が編集内容（ＡＡＡ）を付加すべきアルバムであったとする。次に、制御装置１９はユーザによりScan停止キー３８が押下されたか判定する（ステップＳ１８）。ステップＳ１８において、Scan停止キー３８が押下されていれば、後述するステップＳ２０に進む。ステップＳ１８において、Scan停止キー３８が押下されていなければ、制御装置１９は現在スキャン再生されているアルバムが最後のアーティスト情報がないアルバムであるか判定する（ステップＳ１９）。ステップＳ１９において、現在スキャン再生されているアルバムが最後のアーティスト情報がないアルバムでなければ、ステップＳ１５において制御装置１９は次のアーティスト情報がないアルバムをスキャン再生制御する。一方、ステップＳ１９において、現在スキャン再生されているアルバムが最後のアーティスト情報がないアルバムであれば、ステップＳ１７においてチェックしたアルバムのアーティスト情報欄にステップＳ１３で入力した編集内容を挿入してハードディスク１５に書込んで記憶する（ステップＳ２０）。これにより、制御装置１９は図５（Ｅ）に示すような「No Artist 01」及び「No Artist 03」を「ＡＡＡ」に変更した画面を生成し、表示装置２６に入力して該画面を表示する。
本実施例ではアーティスト情報の編集処理について説明したが、ジャンル情報の編集処理も同様にできる。
【００２５】
以上により、音楽情報がないアルバムのリストを表示し、前記スキャン再生制御と並行して音楽情報を付加すべき１以上のアルバムを特定し、前記スキャン再生制御終了後またはスキャン再生制御停止が指示された時、前記特定されているアルバムに別途入力されている音楽情報（アーティスト名またはジャンル名）を一括して付加するため、音楽情報がないアルバムの音楽情報を容易に編集することができる。
【００２６】
（Ｅ）本発明に係る音楽情報編集処理の変形例
本発明に係る音楽情報編集処理の変形例では、音楽情報（アーティスト名またはジャンル名）がないアルバムのリストを表示し、前記スキャン再生制御と並行して音楽情報を付加すべき１以上のアルバムを特定し、スキャン再生中に再生キーが押下された場合、再生キー押下前に特定した前記アルバムに別途入力されている音楽情報を付加し、かつ現在スキャン再生されていたアルバムを継続して再生する。
図６は本発明に係る音楽情報編集処理の変形例のフローチャートである。なお、音楽情報編集処理の際に表示装置に表示される画面は図５を用いることができる。
ユーザはNo Data編集キー２４を押下する（ステップＳ２１）。これにより制御装置１９は図５（Ａ）に示すような画面を生成し、表示装置２６に入力して該画面を表示する。次にユーザは該画面に基づき、編集（付加）すべき音楽情報の項目（アーティスト名またはジャンル名）を選択する（ステップＳ２２）。なお、選択する際には表示装置２６に表示されるアーティスト３１またはジャンル３２をタッチパネルで選択する。本実施例では「アーティスト」を選択する。編集項目の選択が終了すると制御装置１９は図５（Ｂ）に示すような画面を生成し、表示装置２６に入力して該画面を表示する。そして、ユーザは該画面に基づき、編集内容を文字キー３３で入力する（例えばアーティスト名をＡＡＡと入力する）（ステップＳ２３）。
【００２７】
文字キー３３により編集内容の入力が完了すると、制御装置１９はハードディスク１５からアーティスト情報がないアルバムを全て抽出し、図５（Ｃ）に示すようなアルバムリスト画面を生成し、表示装置２６に入力して該画面を表示する。係る画面において、ユーザはNo Artist Scanキー３５を押下する（ステップＳ２４）。これにより、制御装置１９はハードディスク１５からアーティスト情報がないアルバムの１曲目の音楽データを所定時間分（例えばイントロ１０秒分）読み出して音楽データ復号装置２５を介して音楽再生装置１３に入力する（ステップＳ２５）。また、制御装置１９は図５（Ｄ）に示すような画面を生成し、表示装置２６に入力して該画面を表示する。そして、ユーザは現在スキャン再生されているアルバムが所望するアルバムであるか判定する（ステップＳ２６）。ステップＳ２６において、ユーザが所望するアルバムでなければ、ユーザは現在スキャン再生されているアルバムが編集内容（ＡＡＡ）を付加すべきアルバムであるか、換言すればアーティストＡＡＡのアルバムであるか判定する（ステップＳ２７）。ステップＳ２７において、現在スキャン再生されているアルバムが編集内容（ＡＡＡ）を付加すべきアルバムでなければ、後述するステップＳ３０を行う。一方、ステップＳ２７において、現在スキャン再生されているアルバムが編集内容（ＡＡＡ）を付加すべきアルバムであれば、ユーザはCheckキー３６を押下する（ステップＳ２８）。これにより、現在スキャン再生されているアルバムのチェックボックス３７がチェックされる。本実施例では「No Artist 01」及び「No Artist 03」が編集内容（ＡＡＡ）を付加すべきアルバムであったとする。次に、制御装置１９はユーザによりScan停止キー３８が押下されたか判定する（ステップＳ２９）。ステップＳ２９において、Scan停止キー３８が押下されていれば、後述するステップＳ３１に進む。ステップＳ２９において、Scan停止キー３８が押下されていなければ、制御装置１９は現在スキャン再生されているアルバムが最後のアーティスト情報がないアルバムであるか判定する（ステップＳ３０）。ステップＳ３０において、現在スキャン再生されているアルバムが最後のアーティスト情報がないアルバムでなければ、ステップＳ２５において制御装置１９は次のアーティスト情報がないアルバムをスキャン再生制御する。一方、ステップＳ３０において、現在スキャン再生されているアルバムが最後のアーティスト情報がないアルバムであれば、ステップＳ２８においてチェックしたアルバムのアーティスト情報欄（「No Artist 01」及び「No Artist 03」）にステップＳ２３で入力した編集内容（ＡＡＡ）を挿入してハードディスク１５に書込んで記憶する（ステップＳ３１）。これにより、制御装置１９は図５（Ｅ）に示すような「No Artist 01」及び「No Artist 03」を「ＡＡＡ」に変更した画面を生成し、表示装置２６に入力して該画面を表示する。
【００２８】
一方、ステップＳ２６において、ユーザが所望するアルバムであれば、ユーザは再生キー２２を押下する（ステップＳ３２）。制御装置１９は再生キー２２押下前までに、ステップＳ２８においてチェックしたアルバムのアーティスト情報欄（「No Artist 01」及び「No Artist 03」）にステップＳ２３で入力した編集内容（ＡＡＡ）を挿入してハードディスク１５に書込んで記憶する（ステップＳ３３）。更に、制御装置１９はスキャン再生制御を停止し、以後、ハードディスク１５から現在スキャン再生されていたアルバム（例えば「No Artist 04」）の音楽データを継続して読み出し、音楽データ復号装置２５を介して音楽再生装置１３に入力する。これにより、音楽再生装置１３は該音楽データを再生し、スピーカ１４より再生音を出力する（ステップＳ３４）。
【００２９】
以上により、音楽情報がないアルバムのリストを表示し、前記スキャン再生制御と並行して音楽情報を付加すべき１以上のアルバムを特定し、スキャン再生中に再生キーが押下された場合、再生キー押下前に特定したアルバムに別途入力されている音楽情報を付加し、かつ現在スキャン再生されていたアルバムを継続して再生するため、ユーザの所望するアルバムが、音楽情報がないアルバムである場合でも短時間で再生することができ、かつ音楽情報を容易に編集することができる。
【００３０】
上記実施例では、スキャン再生中に再生キー２２を押下することで、現在スキャン再生されているアルバムを継続して再生するようにしたが、再度No Dataスキャンキー２４を押下することで、現在スキャン再生されているアルバムを継続して再生することもできる。
【００３１】
上記実施例では、音楽情報の編集操作（文字入力やスキャン停止等）をタッチパネルで行ったが、操作部２１に各操作に対応する操作キー（文字キーやスキャン停止キー等）を備え、これらの操作キーを用いて該編集操作を行うこともできる。
【００３２】
その他、オーディオ装置の構成や制御手順等についても、特許請求の範囲に記載された本発明の要旨の範囲内において、種々の変形・変更が可能である。
【図面の簡単な説明】
【００３３】
【図１】本発明に係る概略図である。
【図２】本発明に係るオーディオ装置の構成図である。
【図３】本発明に係るスキャン再生制御処理のフローチャートである。
【図４】本発明に係る音楽情報編集処理のフローチャートである。
【図５】音楽情報編集処理の際に表示装置に表示される画面を示した図である。
【図６】本発明に係る音楽情報編集処理の変形例のフローチャートである。
【符号の説明】
【００３４】
１３…音楽再生装置
１５…ハードディスク
１９…制御装置
２２…再生キー
２３…No Dataスキャンキー
２４…No Data編集キー
２６…表示装置
２９…Scan停止キー
【図１】
2007234154.tif 000003
【図２】
2007234154.tif 000004
【図３】
2007234154.tif 000005
【図４】
2007234154.tif 000006
【図５】
2007234154.tif 000007
【図６】
2007234154.tif 000008